(57)【要約】      （修正有）【課題】計測コストを低減させ、操作や取付方法も簡単なスマートデバイスを提供する。【解決手段】壁面内に取り付けられ、中に内部活線回路と外部活線回路が配線され、外部活線回路が壁面内の活線と直列接続されているベースに一体化して消費電力、電圧、温度を監視するスマートデバイスであって、スマートパネル１０に回路板１２を設け、回路板には一つ以上の誘導コイル１２３、マイクロコントローラ１２４（ＭＣＵ）およびスイッチ１２５（Ｓｗｉｔｃｈ）を設け、誘導コイルが通過電流値に感応し、スイッチ（Ｓｗｉｔｃｈ）が電流の通電状態を制御し、離れた場所でもマイクロコントローラ（ＭＣＵ）によりリモートで計測および制御を行い、スマートパネルとベースを一体化させたときに、消費電力、電圧値および温度をスマート監視して、計測コストを低減する。【選択図】図１
0003224120.tif 000002
【実用新案登録請求の範囲】
【請求項１】
壁面内に取り付けられ、中に内部活線（Live wire）回路および外部活線（Live wire）回路が配線され、前記外部活線（Live wire）回路が壁面内の活線（Live wire）と直列につながっており、そのうち前記内部活線（Live wire）回路に第一メタルを設け、前記外部活線（Live wire）回路に第二メタルを設けているベース、および
前記ベースと一体化され、コンセント本体および回路板を供え、前記回路板と一体化されるスマートパネルを有し、
前記回路板には一つ以上の誘導コイル、マイクロコントローラ（MCU）およびスイッチ（Switch）を設け、前記一つ以上の誘導コイルが前記マイクロコントローラ（MCU）と電気的に接続され、前記一つ以上の誘導コイルが前記コンセント本体および前記ベースの前記外部活線（Live wire）回路の間に位置して、通過する電流の値に感応するとともに、前記スイッチ（Switch）が前記マイクロコントローラ（MCU）と電気的に接続され、前記スイッチ（Switch）が前記ベースにおける前記内部活線（Live wire）回路の第一メタル、および前記外部活線（Live wire）回路の第二メタルと接続されて、前記スイッチ（Switch）を通して前記ベースの前記内部活線（Live wire）回路の電流の通電状態を制御すること
を特徴とするスマートデバイス。
【請求項２】
前記スマートパネルは、さらにコンセントプレートおよびコンセントベースを備え、前記コンセントプレートが前記コンセントベースを覆ってカバーする形となり、前記コンセントプレートは打ち抜き穴を備え、前記コンセント本体を外部に露出させるとともに、前記コンセントベースは一つ以上のホールを備え、前記回路板はホールを備え、前記回路板が一つ以上のピンで前記コンセントベースに固定されること
を特徴とする請求項１に記載のスマートデバイス。
【請求項３】
前記コンセントベースは、さらにパネルと一体化され、前記パネルには打ち抜き文字を備え、前記コンセントベース上には導光板を備え、前記導光板が当該パネルの下方に位置すること
を特徴とする請求項２に記載のスマートデバイス。
【請求項４】
前記回路板は、一つ以上の挿入スロットを有し、一つ以上の外付け装置を接続でき、前記挿入スロットはユニバーサルシリアルバス（USB）インターフェースであること
を特徴とする請求項１に記載のスマートデバイス。
【請求項５】
前記回路板のマイクロコントローラ（MCU）は、無線送信モジュールを内蔵しており、前記無線送信モジュールを通して一つ以上の電子端末と接続できること
を特徴とする請求項１に記載のスマートデバイス。
【請求項６】
前記電子端末は、リモコン装置、タブレットPC（Tablet Personal Computer）、ノート型PC（Note Book）、スマートフォン（Mobile phone）、携帯情報端末（Personal Digital Assistant）、またはスマートブレスレットのいずれかであること
を特徴とする請求項５に記載のスマートデバイス。
【請求項７】
前記回路板は、前記ベースの前記外部活線（Live wire）回路から伝わる電力を適切な電圧に変換する変圧装置を備えていること
を特徴とする請求項１に記載のスマートデバイス。
【請求項８】
前記スイッチ（Switch）は、タクタイルスイッチ（Tactile switch）、プッシュスイッチ（push switch）、スライドスイッチ、押しボタンスイッチ、継電器（Relay）スイッチのうち、一つ以上から成ること
を特徴とする請求項１に記載のスマートデバイス。
【請求項９】
前記ベースは、中性線（Neutral wire）回路を配線しており、前記中性線（Neutral wire）回路は壁面内の中性線（Neutral wire）と直列でつながっていること
を特徴とする請求項１に記載のスマートデバイス。
【請求項１０】
前記ベースは、接地線（Earth wire）回路を配線していること
を特徴とする請求項１に記載のスマートデバイス。
【請求項１１】
スマートパネルであり、当該スマートパネルが
コンセント本体、および
回路板を有し、
前記コンセント本体が前記回路板と一体化され、前記回路板には一つ以上の誘導コイル、マイクロコントローラ（MCU）およびスイッチ（Switch）を設け、前記一つ以上の誘導コイルが当該コントローラ（MCU）と電気的に接続され、前記一つ以上の誘導コイルが前記コンセント本体の下方に位置して、通過する電流の値に感応するとともに、前記スイッチ（Switch）が前記マイクロコントローラ（MCU）と電気的に接続され、前記スイッチ（Switch）を通して電流の通電状態を制御すること
を特徴とするスマートデバイス。
【請求項１２】
前記スマートパネルは、さらにコンセントプレートおよびコンセントベースを備え、前記コンセントプレートが前記コンセントベースを覆ってカバーする形となり、前記コンセントプレートは打ち抜き穴を備え、コンセント本体を外部に露出させるとともに、前記コンセントベースは一つ以上のホールを備え、前記回路板はホールを備え、前記回路板が一つ以上のピンで前記コンセントベースに固定されること
を特徴とする請求項１１に記載のスマートデバイス。
【請求項１３】
前記コンセントベースは、さらにパネルと一体化され、前記パネルには打ち抜き文字を備え、前記コンセントベース上には導光板を備え、前記導光板が前記パネルの下方に位置すること
を特徴とする請求項１２に記載のスマートデバイス。
【請求項１４】
前記回路板は、一つ以上の挿入スロットを有し、一つ以上の外付け装置を接続でき、前記挿入スロットはユニバーサルシリアルバス（USB）インターフェースであること
を特徴とする請求項１１に記載のスマートデバイス。
【請求項１５】
前記回路板のマイクロコントローラ（MCU）は、無線送信モジュールを内蔵しており、前記無線送信モジュールを通して一つ以上の電子端末と接続できること
を特徴とする請求項１１に記載のスマートデバイス。
【請求項１６】
前記電子端末は、リモコン装置、タブレットPC（Tablet Personal Computer）、ノート型PC（Note Book）、スマートフォン（Mobile phone）、携帯情報端末（Personal Digital Assistant）、またはスマートブレスレットのいずれかであること
を特徴とする請求項１５に記載のスマートデバイス。
【請求項１７】
前記回路板は、伝わる電力を適切な電圧に変換する変圧装置を備えていること
を特徴とする請求項１１に記載のスマートデバイス。
【請求項１８】
前記スイッチ（Switch）は、タクタイルスイッチ（Tactile switch）、プッシュスイッチ（push switch）、スライドスイッチ、押しボタンスイッチ、継電器（Relay）スイッチのうち、一つ以上から成ること
を特徴とする請求項１１に記載のスマートデバイス。
【考案の詳細な説明】
【技術分野】
【０００１】
本考案は一種のスマートデバイスに係わるものであり、主にスマートパネルの設計により、当該スマートパネルとベースを一体化させたときに、消費電力、電圧値および温度をスマート監視する効果を具備せしめて、計測コスト低減の目的を達し、壁コンセントまたはそれに類する装置に適用する。
【背景技術】
【０００２】
現代社会は電力消費が毎年増加し、電力料金も上昇傾向にあることから、省エネルギー、節電というのが重要なテーマである。
【０００３】
最近は消費電力を計測して電力消費量を知ることができる装置が数多く開発されている。
【考案の概要】
【考案が解決しようとする課題】
【０００４】
しかしながら、消費電力を計測する装置のほとんどが外付け装置であり、壁コンセントに挿入して使う必要があり、かかる外付け装置は大ぶりで、かさばり、差込口2個分のスペースを占有しがちで、使い勝手がよいとは言えない。
【０００５】
しかも、すべてのコンセントにおける消費電力を監視するとなると、たいへんな数量の外付け装置を購入する必要があり、普通の消費者にそのような金銭的余裕はなく、この点が普及のネックとなっている。また、使用スペースという点で、コンセントに外付け装置を差し込むと、壁面にひとつの突起が出ることになり、厨房キャビネットや本箱の設置の妨げになり、スペース全体の美観も損なう。
【０００６】
上述の欠点を踏まえ、計測コストを低減させ、操作や取付方法も簡単なスマートデバイスを提案するべく研究、組立設計して、ユーザーに便利さを提供する、というのが考案の動機である。
【課題を解決するための手段】
【０００７】
本考案は一種のスマートデバイスを提供するものであり、主にスマートパネル設計により、当該スマートパネルには回路板を設け、当該回路板には一つ以上の誘導コイル、マイクロコントローラ（MCU）およびスイッチ（Switch）を設け、当該誘導コイルが通過電流値に感応し、当該スイッチ（Switch）が電流の通電状態を制御することにより、離れた場所でも当該マイクロコントローラ（MCU）によりリモートで計測および制御を行って、当該スマートパネルとベースを一体化させたときに、消費電力、電圧値および温度をスマート監視する効果を具備せしめて、計測コストを低減し、実用性そのものを向上させることを目的とする。
【０００８】
本考案は一種のスマートデバイスを提供するものであり、当該回路板のマイクロコントローラ（MCU）には無線送信モジュールが内蔵され、当該無線送信モジュールを通して一つ以上の電子端末とリンクさせることができ、当該電子端末とは、リモコン装置、タブレットPC（Tablet Personal Computer）、ノート型PC（Note Book）、スマートフォン（Mobile phone）、携帯情報端末（Personal Digital Assistant）、またはスマートブレスレットのいずれかであり、計測データをリモートで受信し、スマート型の統計と分析を行って、リアルタイム管理の効果を達成し、便利さを向上させることをもうひとつの目的としている。
【０００９】
本考案は一種のスマートデバイスを提供するものであり、当該スマートデバイスはベースを有しており、当該ベースは壁面内に取り付けられ、当該ベース内には内部活線（Live wire）回路および外部活線（Live wire）回路が配線され、当該外部活線（Live wire）回路が壁面内の活線（Live wire）と直列につながっており、そのうち当該内部活線（Live wire）回路に第一メタルを設け、当該外部活線（Live wire）回路に第二メタルを設け、当該スイッチ（Switch）が当該ベースにおける内部活線（Live wire）回路の第一メタル、および外部活線（Live wire）回路の第二メタルと接続されて、当該スイッチ（Switch）を通して当該ベースの内部活線（Live wire）回路の電流の通電状態を制御して使い勝手を向上させることを、さらにもうひとつの目的としている。
【００１０】
上述の目的を達成するため、本考案は一種のスマートデバイスで、当該デバイスはスマートパネルであり、当該スマートパネルはコンセント本体および回路板を含み、当該コンセント本体が当該回路板と一体化されており、当該回路板には一つ以上の誘導コイル、マイクロコントローラ（MCU）およびスイッチ（Switch）を設け、当該の一つ以上の誘導コイルが当該コントローラ（MCU）と電気的に接続され、かつ当該の一つ以上の誘導コイルが当該コンセント本体の下方に位置して通過電流値に感応し、当該コントローラ（MCU）と電気的に接続された当該スイッチ（Switch）が電流の通電状態を制御することを第一の実施形態とする。
【００１１】
本考案は一種のスマートデバイスであり、当該デバイスはベースおよびスマートパネルを含み、当該ベースは壁面内に取り付けられ、当該ベース内には内部活線（Live wire）回路および外部活線（Live wire）回路が配線され、当該外部活線（Live wire）回路が壁面内の活線（Live wire）と直列につながっており、そのうち当該内部活線（Live wire）回路に第一メタルを設け、当該外部活線（Live wire）回路に第二メタルを設ける。当該スマートパネルは当該ベースと一体化され、当該スマートパネルはコンセント本体および回路板を含み、当該コンセント本体が当該回路板と一体化されており、当該回路板には一つ以上の誘導コイル、マイクロコントローラ（MCU）およびスイッチ（Switch）を設け、当該の一つ以上の誘導コイルが当該コントローラ（MCU）と電気的に接続され、当該スイッチ（Switch）が当該ベースにおける内部活線（Live wire）回路の第一メタル、および外部活線（Live wire）回路の第二メタルと接続されて、当該スイッチ（Switch）を通して当該ベースの内部活線（Live wire）回路の電流の通電状態を制御することを第二の実施形態とする。
【考案の効果】
【００１２】
本考案発明によれば、計測コストを低減させ、操作や取付方法も簡単なスマートデバイスを提案するべく研究、組立設計して、ユーザーに便利さを提供できる。
【図面の簡単な説明】
【００１３】
以下において、本考案の特徴、特性および技術的内容を、図面を参照しながら詳細に説明するが、図面は説明、参考のためであり、本考案に制限を加えるものではない。
【図１】本考案第一の実施形態として、スマートパネルのコンセント本体と回路板の模式図である。
【図２】本考案第一の実施形態として、スマートパネルのコンセントプレートおよびパネル、回路板の模式図である。
【図３】本考案第一の実施形態として、スマートパネルの部品分解図である。
【図４】本考案第一の実施形態として、スマートパネル内側の見上げ図である。
【図５】本考案第二の実施形態として、スマートパネルとベースの模式図である。
【図６】本考案第二の実施形態として、ベースの部品分解図である。
【図７】本考案第二の実施形態として、ベース内の外部活線（Live wire）回路、内部活線（Live wire）回路、接地線（Earth wire）回路および中性線（Neutral wire）回路の配線図である。
【図８】本考案第二の実施形態として、外部活線（Live wire）回路の第二メタルおよび内部活線（Live wire）回路の第一メタルと回路板との一体化模式図である。
【図９】本考案第二の実施形態として、外部活線（Live wire）回路の第二メタルおよび内部活線（Live wire）回路の第一メタルが回路板と一体化したときの別角度からの模式図である。
【考案を実施するための形態】
【００１４】
本考案の実施例を示す図として図1から図9を掲げる。本考案の好適な実施形態としては、壁コンセント構造またはこれに類する装置を運用し、消費電力、電圧値および温度をスマート監視する効果を具備せしめて計測コストを低減するとともに、計測データをリモートで受信し、スマート型の統計と分析を行って、リアルタイム管理の効果を達成することである。
【００１５】
本考案のスマートデバイスは、第一の実施形態（図1から図4参照）として、当該装置がスマートパネル１０を有し、当該スマートパネル１０がコンセント本体１１および回路板１２（図1参照）を含み、当該コンセント本体１１は一般コンセントのような差込口１１１を備え、当該コンセント本体１１が当該回路板１２と一体化し、当該回路板１２は、当該コンセント本体１１差込口１１１に呼応する位置に溝穴１２１を備え、当該コンセントの銅製プラグ受けが見えるようになっている（図内未表示）。
【００１６】
当該スマートパネル１０は、さらにコンセントプレート１３およびコンセントベース１４を備え（図2参照）、当該コンセント本体１１および当該回路板１２を包み込む構造で、コンセントベース１４が一つ以上のホール１４１を備え、当該回路板１２がホール１２２を備え、当該回路板１２がひとつ以上のピン１５により当該コンセントベース１４に固定される構造であり、当該ピン１５がねじでもよい。当該コンセントベース１４は、パーツの配置に便利なように、一つ以上の座ぐり穴１４２を備え（図3参照）、当該コンセントベース１４は、当該コンセント本体１１の差込口１１１に呼応する位置にもホール１４３を備えている。さらに、当該コンセントプレート１３が当該コンセントベース１４を覆ってカバーする形となり、当該コンセントプレート１３は打ち抜き穴１３１を備え、当該打ち抜き穴１３１を通してコンセント本体１１差込口１１１が外部に露出する。
【００１７】
上述のコンセントベース１４はパネル１６と一体化され、当該パネル１６には打ち抜き文字１６１が設けられている（図2および図3参照）。さらに当該コンセントベース１４上の導光板１４４（図3参照）が当該パネル１６の下方に位置し、当該導光板１４４を打ち抜き文字１６１と同じ形体にすれば、導光板１４４が当該パネル１６の打ち抜き文字１６１を通して光を照射し、識別度を向上させる。
【００１８】
当該スマートパネル１０の回路板１２は一つ以上の誘導コイル１２３、マイクロコントローラ（MCU）１２４およびスイッチ（Switch）１２５を備えている（図1および図3参照）。当該マイクロコントローラ（MCU）１２４はCPU、RAM、ROM、I/OまたはA/D等、記憶と演算の機能を備え、当該の一つ以上の誘導コイル１２３の数量は当該コンセントの数量で決まり、かつ当該の一つ以上の誘導コイル１２３は当該マイクロコントローラ（MCU）１２４と電気的に接続されている。また、当該の一つ以上の誘導コイル１２３はコンセント本体１１の下方に位置し、当該回路板１２の溝穴１２１に設置され、通過する電流値に感応する。当該回路板１２は変圧装置１２６を備え（図3参照）、当該変圧装置１２６が当該コンセントベース１４における一つ以上の座ぐり穴１４２に配置されて、伝える電力を適切な電圧に変換して、回路板１２が異なる電圧に対応して様々な電子ユニットが動作できるようにする。
【００１９】
当該回路板１２のスイッチ（Switch）１２５は当該マイクロコントローラ（MCU）１２４と電気的に接続されており、当該スイッチ（Switch）１２５は、タクタイルスイッチ（Tactile switch）、プッシュスイッチ（push switch）、スライドスイッチ、押しボタンスイッチ、継電器（Relay）スイッチのうち、一つ以上から成る。本考案の場合、押しボタンスイッチおよび継電器（Relay）スイッチでスイッチ（Switch）を構成し、マニュアルで押しボタンスイッチを操作するとともに、当該マイクロコントローラ（MCU）１２４でリモート操作できるようにする。当該マイクロコントローラ（MCU）１２４には無線送信モジュールが内蔵され（図内未表示）、当該無線送信モジュールを通して一つ以上の電子端末とリンクさせることができ（図内未表示）、当該電子端末とは、リモコン装置、タブレットPC（Tablet Personal Computer）、ノート型PC（Note Book）、スマートフォン（Mobile phone）、携帯情報端末（Personal Digital Assistant）、またはスマートブレスレットのいずれかであり、かかる電子端末と当該マイクロコントローラ（MCU）１２４が信号を送受信することにより、当該スイッチ（Switch）１２５の動作を制御でき、継電器（Relay）スイッチにより電流の通電状態を制御することもできる。
【００２０】
本考案の回路板１２は一つ以上の挿入スロット１２７を備え（図1および図3参照）、当該挿入スロット１２７を通して一つ以上の外付け装置と接続できる（図内未表示）。当該挿入スロット１２７とは、ユニバーサルシリアルバス（USB）またはその他シリアルバスに適合する標準インターフェース（Mini USB、Micro USBまたはTYPE−C）を指し、当該外付け装置とは、赤外線探知器、信号コントローラ、ディスプレイ装置等のうちのいずれか、或いはその他シリアルバスの標準インターフェースを通して接続できる装置を指し、本考案のスマートパネル１０をして拡張機能を具備せしめ、当該スマートパネル１０により多くの使い道を提供する。
【００２１】
本考案のスマートデバイスは、第二の実施形態として（図5から図9参照）、当該デバイスがベース２０およびスマートパネル１０を含み（図5参照）、当該スマートパネル１０の設計は上述の第一の実施形態を参照して重複を避けることとし、以下においては、当該ベース２０の内容と当該スマートパネル１０の一体化について説明する。
【００２２】
当該ベース２０は壁に埋め込む形で（図内未表示）、当該ベース２０は当該スマートパネル１０のコンセントベース１４と一体化され、当該ベース２０は一つ以上の凹部２１を有し（図6参照）、かかる凹部２１の一つは、当該コンセントベース１４で変圧装置１２６を設置するのに使う座ぐり穴１４２を受ける役割を果たす。当該ベース２０のもうひとつの凹部２１には、外部活線（Live wire）回路３０および内部活線（Live wire）回路４０を配線し、当該の外部活線（Live wire）回路３０および内部活線（Live wire）回路４０の上端にはコンセントケース２２を設け（図6参照）、当該コンセントケース２２は当該スマートパネル１０の下に位置し、当該コンセントケース２２は、当該コンセントベース１４のホール１４３に呼応する位置にホール２２１を備えており、かつ当該コンセントケース２２は凹部２２２を備え、当該スマートパネル１０の回路板１２に設けられたスイッチ（Switch）１２５の継電器（Relay）スイッチを収納し（図8参照）、当該コンセントケース２２凹部２２２内部には一つ以上のホール２２３を有している。
【００２３】
当該ベース２０の外部活線（Live wire）回路３０は、壁面内の内部活線（Live wire）回路と直列でつながり（図内未表示）、主開閉器の電力供給システムが伝える交流電流を受ける。当該内部活線（Live wire）回路４０は第一メタル４１を有し、当該外部活線（Live wire）回路３０は第二メタル３１を有し、当該の第一メタルおよび第二メタルは、当該コンセントケース２２の凹部２２２に設けられたホール２２３（図7参照）を通って、当該スマートパネル１０の回路板１２と接触してつながっており（図8および図9参照）、電力を第一メタル４１および第二メタル３１から当該回路板１２の変圧装置１２６に伝えて適切な電圧に変換して、当該回路板１２が異なる電圧に対応して様々な電子ユニットが動作できるようにする。また、当該の第一メタル４１および第二メタル３１により、内部活線（Live wire）回路４０および外部活線（Live wire）回路３０の電圧または温度を管理できるとともに、内部活線（Live wire）回路４０の第一メタル４１および外部活線（Live wire）回路３０の第二メタル３１を通して当該回路板１２のスイッチ（Switch）１２５とつながって、当該スイッチ（Switch）１２５を通して、当該ベース２０の内部活線（Live wire）回路４０の電流回路を開（open）にして非通電状態にするか、または閉（close）にして通電状態にするかを制御できる。
【００２４】
当該ベース２０の凹部２１は、上述の回路だけでなく、接地線（Earth wire）回路５０および中性線（Neutral wire）回路６０を配線しており（図7参照）、当該中性線（Neutral wire）回路６０は壁面内の中性線（Neutral wire）と直列でつながって（図内未表示）、電流を主開閉器の電力供給システムに戻し、かかる電位は通常はゼロに等しい（または近似している）。当該接地線（Earth wire）回路５０は導線で地面等と直列でつながって電位を逃がし、漏電による設備と人への傷害を未然に防止する。
【００２５】
かくのごとく、電力を要する電気製品を起動するとき（図内未表示）、当該スマートパネル１０のコンセント本体１１の差込口１１１にプラグを差し込むと、当該プラグの金属端子が当該コンセント本体１１下方にある誘導コイル１２３まで貫通し、さらには、当該スマートパネル１０のコンセントベース１４のホール１４３、および当該スマートパネル１０のコンセントベース１４下方に位置するコンセントケース２２のホール２２１を経由して、当該コンセントケース２２下方の内部活線（Live wire）回路３０、中性線（Neutral wire）回路６０、接地線（Earth wire）回路５０と接触してつながることで電力を得るとともに、当該スマートパネル１０の回路板１２を通して電力消費、電圧値および温度を計測し、マイクロコントローラ（MCU）１２４を通して離れた場所で計測値を受信してスマート型の統計と分析を行い、マイクロコントローラ（MCU）１２４を通してスイッチ（Switch）１２５の回路を開（open）にして非通電状態にするか、または閉（close）にして通電状態にするかをリモート操作できる能力を具備する。
【００２６】
以上の詳細説明を踏まえれば、本技能に精通した者なら本考案が確実に前述の目的を達成できることを理解でき、特許法の定めに適合していると思われることから、実用新案登録を出願する。
【００２７】
ただし、以上の記述は本考案における好適の実施例を示したにすぎず、これをもって本考案の実施の範囲を制限すべきではなく、ゆえに、本考案における請求の範囲および説明内容に従って同等の効果を得るための変更および造作は、いずれも本考案の請求の範囲内とする。
【符号の説明】
【００２８】
１０  スマートパネル
１１  コンセント本体
１１１  差込口
１２  回路板
１２１  溝穴
１２２  ホール
１２３  誘導コイル
１２４  マイクロコントローラ（MCU）
１２５  スイッチ（Switch）
１２６  変圧装置
１２７  挿入スロット
１３  コンセントプレート
１３１  打ち抜き穴
１４  コンセントベース
１４１  ホール
１４２  座ぐり穴
１４３  ホール
１４４  導光板
１５  ピン
１６  パネル
１６１  打ち抜き文字
２０  ベース
２１  凹部
２２  コンセントケース
２２１  ホール
２２２  凹部
２２３  ホール
３０  外部活線（Live wire）回路
３１  第二メタル
４０  内部活線（Live wire）回路
４１  第一メタル
５０  接地線（Earth wire）回路
６０  中性線（Neutral wire）回路
【図１】
0003224120.tif 000003
【図２】
0003224120.tif 000004
【図３】
0003224120.tif 000005
【図４】
0003224120.tif 000006
【図５】
0003224120.tif 000007
【図６】
0003224120.tif 000008
【図７】
0003224120.tif 000009
【図８】
0003224120.tif 000010
【図９】
0003224120.tif 000011
【手続補正書】
【提出日】令和1年9月24日(2019.9.24)
【手続補正１】
【補正対象書類名】実用新案登録請求の範囲
【補正対象項目名】全文
【補正方法】変更
【補正の内容】
【実用新案登録請求の範囲】
【請求項１】
壁面内に取り付けられ、中に内部活線（Live wire）回路および外部活線（Live wire）回路が配線され、当該外部活線（Live wire）回路が壁面内の活線（Live wire）と直列につながっており、そのうち当該内部活線（Live wire）回路に第一メタルを設け、当該外部活線（Live wire）回路に第二メタルを設けているベース、および  当該ベースと一体化され、コンセント本体および回路板を供え、当該回路板と一体化されるスマートパネルを有し、  当該回路板には一つ以上の誘導コイル、マイクロコントローラ（MCU）および開閉（Switch）を設け、当該の一つ以上の誘導コイルが当該コントローラ（MCU）と電気的に接続され、当該の一つ以上の誘導コイルが当該コンセント本体および当該ベースの外部活線（Live wire）回路の間に位置して、通過する電流の値に感応するとともに、当該開閉（Switch）が当該マイクロコントローラ（MCU）と電気的に接続され、当該開閉（Switch）が当該ベースにおける内部活線（Live wire）回路の第一メタル、および外部活線（Live wire）回路の第二メタルと接続されて、当該開閉（Switch）を通して当該ベースの内部活線（Live wire）回路の電流の通電状態を制御すること  を特徴とするスマートデバイス。
【請求項２】
当該スマートパネルは、さらにコンセントプレートおよびコンセントベースを備え、当該コンセントプレートが当該コンセントベースを覆ってカバーする形となり、当該コンセントプレートは打ち抜き穴を備え、コンセント本体を外部に露出させるとともに、当該コンセントベースは一つ以上のホールを備え、当該回路板はホールを備え、当該回路板が一つ以上のピンで当該コンセントベースに固定されること  を特徴とする請求項１に記載のスマートデバイス。
【請求項３】
当該コンセントベースは、さらにパネルと一体化され、当該パネルには打ち抜き文字を備え、当該コンセントベース上には導光板を備え、当該導光板が当該パネルの下方に位置すること  を特徴とする請求項２に記載のスマートデバイス。
【請求項４】
当該回路板は、一つ以上の挿入スロットを有し、一つ以上の外付け装置を接続でき、当該挿入スロットはユニバーサルシリアルバス（USB）インターフェースであること  を特徴とする請求項１に記載のスマートデバイス。
【請求項５】
当該回路板のマイクロコントローラ（MCU）は、無線送信モジュールを内蔵しており、当該無線送信モジュールを通して一つ以上の電子端末と接続できること  を特徴とする請求項１に記載のスマートデバイス。
【請求項６】
当該電子端末は、リモコン装置、タブレットPC（Tablet Personal Computer）、ノート型PC（Note Book）、スマートフォン（Mobile phone）、携帯情報端末（Personal Digital Assistant）、またはスマートブレスレットのいずれかであること  を特徴とする請求項５に記載のスマートデバイス。
【請求項７】
当該回路板は、当該ベースの外部活線（Live wire）回路から伝わる電力を適切な電圧に変換する変圧装置を備えていること  を特徴とする請求項１に記載のスマートデバイス。
【請求項８】
当該開閉（Switch）は、タクタイル開閉（Tactile switch）、プッシュ開閉（push switch）、スライド開閉、押しボタン開閉、継電器（Relay）開閉のうち、一つ以上から成ること  を特徴とする請求項１に記載のスマートデバイス。
【請求項９】
当該ベースは、中性線（Neutral wire）回路を配線しており、当該中性線（Neutral wire）回路は壁面内の中性線（Neutral wire）と直列でつながっていること  を特徴とする請求項１に記載のスマートデバイス。
【請求項１０】
当該ベースは、接地線（Earth wire）回路を配線していること  を特徴とする請求項１に記載のスマートデバイス。
【請求項１１】
スマートパネルを有し、当該スマートパネルが  コンセント本体、および  回路板を有し、  当該コンセント本体が当該回路板と一体化され、当該回路板には一つ以上の誘導コイル、マイクロコントローラ（MCU）および開閉（Switch）を設け、当該の一つ以上の誘導コイルが当該コントローラ（MCU）と電気的に接続され、当該の一つ以上の誘導コイルが当該コンセント本体の下方に位置して、通過する電流の値に感応するとともに、当該開閉（Switch）が当該マイクロコントローラ（MCU）と電気的に接続され、当該開閉（Switch）を通して電流の通電状態を制御すること  を特徴とするスマートデバイス。
【請求項１２】
当該スマートパネルは、さらにコンセントプレートおよびコンセントベースを備え、当該コンセントプレートが当該コンセントベースを覆ってカバーする形となり、当該コンセントプレートは打ち抜き穴を備え、コンセント本体を外部に露出させるとともに、当該コンセントベースは一つ以上のホールを備え、当該回路板はホールを備え、当該回路板が一つ以上のピンで当該コンセントベースに固定されること  を特徴とする請求項１１に記載のスマートデバイス。
【請求項１３】
当該コンセントベースは、さらにパネルと一体化され、当該パネルには打ち抜き文字を備え、当該コンセントベース上には導光板を備え、当該導光板が当該パネルの下方に位置すること  を特徴とする請求項１２に記載のスマートデバイス。
【請求項１４】
当該回路板は、一つ以上の挿入スロットを有し、一つ以上の外付け装置を接続でき、当該挿入スロットはユニバーサルシリアルバス（USB）インターフェースであること  を特徴とする請求項１１に記載のスマートデバイス。
【請求項１５】
当該回路板のマイクロコントローラ（MCU）は、無線送信モジュールを内蔵しており、当該無線送信モジュールを通して一つ以上の電子端末と接続できること  を特徴とする請求項１１に記載のスマートデバイス。
【請求項１６】
当該電子端末は、リモコン装置、タブレットPC（Tablet Personal Computer）、ノート型PC（Note Book）、スマートフォン（Mobile phone）、携帯情報端末（Personal Digital Assistant）、またはスマートブレスレットのいずれかであること  を特徴とする請求項１５に記載のスマートデバイス。
【請求項１７】
当該回路板は、伝わる電力を適切な電圧に変換する変圧装置を備えていること  を特徴とする請求項１１に記載のスマートデバイス。
【請求項１８】
当該開閉（Switch）は、タクタイル開閉（Tactile switch）、プッシュ開閉（push switch）、スライド開閉、押しボタン開閉、継電器（Relay）開閉のうち、一つ以上から成ること  を特徴とする請求項１１に記載のスマートデバイス。